【手続補正書】
【提出日】平成21年9月4日(2009.9.4)
【手続補正１】
【補正対象書類名】明細書
【補正対象項目名】００１１
【補正方法】変更
【補正の内容】
【００１１】
本発明のもう一つの態様によると、無線通信システムにおいてデータの伝送方法を提供する。前記方法は、アップリンク無線資源割当情報及び前記アップリンク無線資源割当情報が有効に適用されるアップリンクフレームを示すアップリンク指示子を含むスケジューリング情報を、ＰＤＣＣＨ上で受信する段階、及び前記アップリンク指示子により指示されるアップリンクサブフレームでアップリンクデータを基地局に伝送する段階、を含む。
例えば、本発明は以下の項目を提供する。
（項目１）
時分割デュプレックス(Time  Division  Duplex；ＴＤＤ)システムにおいてスケジューリング情報の伝送方法において、
少なくとも一つのダウンリンクサブフレームと少なくとも一つのアップリンクサブフレームとが含まれるように無線フレームを設定(configuring)する段階；及び、
アップリンク指示子(uplink  indicator)とアップリンク無線資源割当情報(uplink  resource  allocation)とを含むスケジューリング情報を、ダウンリンクサブフレームのダウンリンク制御チャネル上に伝送する段階；を含み、
上記ダウンリンクサブフレームは、ダウンリンク伝送に使われて、上記アップリンクサブフレームは、アップリンク伝送に使われて、上記アップリンク指示子は、上記アップリンク無線資源割当情報が有効に適用される少なくとも一つのアップリンクサブフレームを示す、スケジューリング情報の伝送方法。
（項目２）
上記無線フレーム内で、上記少なくとも一つのアップリンクサブフレームの個数は、上記少なくとも一つのダウンリンクサブフレームの個数より多い、項目１に記載のスケジューリング情報の伝送方法。
（項目３）
上記アップリンク指示子は、複数のアップリンクサブフレームを示す、項目１に記載のスケジューリング情報の伝送方法。
（項目４）
上記複数のアップリンクサブフレームは、お互いに隣接する(contiguous)、項目３に記載のスケジューリング情報の伝送方法。
（項目５）
上記無線フレームは、１０個のサブフレームを含み、上記無線フレームは、下記の表のアップリンク-ダウンリンク割当状態から選択された一つの設定情報(configuration)により設定される、項目１に記載のスケジューリング情報の伝送方法。
【化１】
2010516164.tif 000001
ここで、‘Ｄ’はダウンリンクサブフレームを、‘Ｕ’はアップリンクサブフレームを、‘Ｓ’はＤｗＰＴＳ(Downlink  Pilot  Time  Slot)、ＧＰ(Guard  Period)及びＵｐＰＴＳ(Uplink  Pilot  Time  Slot)を含む特別サブフレームを示す。
（項目６）
上記一つの設定情報に関する情報を伝送する段階をさらに含む、項目５に記載のスケジューリング情報の伝送方法。
（項目７）
上記一つの設定情報に関する情報は、ブロードキャストチャネルを介して伝送される、項目６に記載のスケジューリング情報の伝送方法。
（項目８）
上記ダウンリンク制御チャネルは、物理ダウンリンク制御チャネル(Physical  DownlinkControl  CHannel；ＰＤＣＣＨ)である、項目１に記載のスケジューリング情報の伝送方法。
（項目９）
上記アップリンク無線資源割当情報は、アップリンク伝送のための少なくとも一つの資源ブロック(resource  block；RB)を示す、項目１に記載のスケジューリング情報の伝送方法。
（項目１０）
ＴＤＤシステムにおいてデータ伝送方法において、
複数のアップリンクサブフレームと複数のダウンリンクサブフレームとを含む無線フレームに関する設定情報を受信する段階；
アップリンク無線資源割当情報、及び上記アップリンク無線資源割当情報が有効に適用される少なくとも一つのアップリンクサブフレームを示すアップリンク指示子をダウンリンクサブフレームのダウンリンク制御チャネル上で受信する段階；及び、
上記アップリンク無線資源割当情報を用いて上記少なくとも一つのアップリンクサブフレーム上でデータを伝送する段階；を含み、
上記設定情報は、上記無線フレーム内のアップリンク-ダウンリンクサブフレームの割当パターン(pattern)を定義する、データ伝送方法。
（項目１１）
上記設定情報は、下の表から選択されたいずれか一つの設定情報である、項目１０に記載のデータ伝送方法。
【化２】
2010516164.tif 000002
ここで、‘Ｄ’はダウンリンクサブフレームを、‘Ｕ’はアップリンクサブフレームを、‘Ｓ’はＤｗＰＴＳ(Downlink  Pilot  Time  Slot)、ＧＰ(Guard  Period)及びＵｐＰＴＳ(Uplink  Pilot  Time  Slot)を含む特別サブフレームを示す。
（項目１２）
上記設定情報は、システム情報(system  information；SI)の一部として受信される、請求項１０に記載のデータ伝送方法。
（項目１３）
上記アップリンク指示子は、複数の連続的なアップリンクフレームを示す、項目１０に記載のデータ伝送方法。
（項目１４）
無線通信システムにおいて基地局を運営(operating)する方法において、
少なくとも一つのダウンリンクサブフレームと少なくとも一つのアップリンクサブフレームとを含む無線フレームを設定する段階；
どのアップリンクサブフレームにアップリンク無線資源割当情報が有効に適用されるかを示すアップリンク指示子を含むスケジューリング情報を、ダウンリンクサブフレームの物理ダウンリンク制御チャネル(ＰＤＣＣＨ)上に伝送する段階；及び、
上記アップリンク指示子が示すアップリンクサブフレームで、端末からアップリンクデータを受信する段階；を含むデータ伝送方法。
（項目１５）
無線通信システムにおいてデータの伝送方法において、
アップリンク無線資源割当情報及び上記アップリンク無線資源割当情報が有効に適用されるアップリンクフレームを示すアップリンク指示子を含むスケジューリング情報をＰＤＣＣＨ上で受信する段階；及び、
上記アップリンク指示子により指示されるアップリンクサブフレームでアップリンクデータを基地局に伝送する段階；を含む、データ伝送方法。
【手続補正２】
【補正対象書類名】特許請求の範囲
【補正対象項目名】全文
【補正方法】変更
【補正の内容】
【特許請求の範囲】
【請求項１】
時分割デュプレックス(Time  Division  Duplex；TDD)移動通信システムにおいてスケジューリング情報の伝送方法において、
少なくとも一つのダウンリンクサブフレームと少なくとも一つのアップリンクサブフレームとを含む無線フレームを設定(configuring)し；及び、
前記無線フレームのダウンリンクサブフレームでダウンリンク制御チャネル上にスケジューリング情報を伝送することを含み、前記スケジューリング情報は、アップリンク指示子(uplink  indicator)とアップリンク資源割当とを含み、前記アップリンク指示子は、前記アップリンク資源割当が有効な少なくとも一つのアップリンクサブフレームを示して、前記アップリンク資源割当は、前記少なくとも一つのアップリンクサブフレームでアップリンクデータ伝送に使われる無線資源を示す方法。
【請求項２】
前記アップリンク指示子は、一つまたはその以上のビットを含み、前記アップリンク指示子ビットの値は、前記無線フレーム内で前記アップリンク資源割当が有効な前記少なくとも一つのアップリンクサブフレームの位置を他のサブフレームの位置と相対的に定義する請求項１に記載の方法。
【請求項３】
前記アップリンク指示子は、複数のビットを含み、前記アップリンク指示子ビットの値は、前記無線フレーム内で前記アップリンク資源割当が有効な前記複数のアップリンクサブフレームの位置を他のサブフレームの位置と相対的に定義し、前記複数のアップリンクサブフレームは、お互いに隣接する(contiguous)請求項１に記載の方法。
【請求項４】
前記ダウンリンク制御チャネルは、物理ダウンリンク制御チャネル(Physical  Downlink  Control  CHannel；PDCCH)である請求項１に記載の方法。
【請求項５】
前記アップリンク資源割当は、アップリンク伝送のための少なくとも一つのＲＢ(resource  block)を示す請求項１に記載の方法。
【請求項６】
ＴＤＤ移動通信システムにおいてデータ伝送方法において、
複数のアップリンクサブフレームと複数のダウンリンクサブフレームとを含む無線フレームに関する設定情報を受信して；
前記無線フレームのダウンリンクサブフレームでダウンリンク制御チャネル上にスケジューリング情報を受信し、前記スケジューリング情報は、アップリンク指示子(uplink  indicator)とアップリンク資源割当とを含み、前記アップリンク指示子は、前記アップリンク資源割当が有効な少なくとも一つのアップリンクサブフレームを示して、前記アップリンク資源割当は、前記少なくとも一つのアップリンクサブフレームでアップリンクデータ伝送に使われる無線資源を示して；及び、
前記アップリンク資源割当により指示される無線資源を用いて前記少なくとも一つのアップリンクサブフレームで移動通信データを伝送することを含む方法。
【請求項７】
前記無線フレームに対する前記設定情報は、システム情報(system  information；SI)の一部として受信される請求項６に記載の方法。
【請求項８】
前記アップリンク指示子は、複数のビットを含み、前記アップリンク指示子ビットの値は、前記無線フレーム内で前記アップリンク資源割当が有効な前記複数の隣接するアップリンクサブフレームの位置を他のサブフレームの位置と相対的に定義する請求項６に記載の方法。
【請求項９】
前記無線資源は、前記アップリンクデータが伝送される時間と周波数に定義される請求項１に記載の方法。
【請求項１０】
前記ダウンリンクサブフレームの個数は、アップリンクサブフレームの個数より少ない請求項１に記載の方法。
【請求項１１】
前記無線フレームは、複数のアップリンクサブフレームを含み、前記アップリンク指示子は、前記アップリンク資源割当が有効な２個の連続的なアップリンクサブフレームを示す請求項１に記載の方法。
【請求項１２】
前記他のサブフレームは、自分のサブフレーム(self-subframe)である請求項２に記載の方法。
【請求項１３】
前記アップリンク指示子は、一つまたはその以上のビットを含み、前記アップリンク指示子ビットの値は、前記無線フレーム内で前記アップリンク資源割当が有効な前記少なくとも一つのアップリンクサブフレームの位置を他のサブフレームの位置と相対的に定義する請求項６に記載の方法。
【請求項１４】
前記他のサブフレームは、自分のサブフレーム(self-subframe)である請求項１３に記載の方法。
【請求項１５】
前記無線資源は、前記アップリンクデータが伝送される時間と周波数とによって定義される請求項６に記載の方法。
【請求項１６】
前記ダウンリンクサブフレームの個数は、アップリンクサブフレームの個数より少ない請求項６に記載の方法。
【請求項１７】
前記アップリンク指示子は、前記アップリンク資源割当が有効な２個の連続的なアップリンクサブフレームを示す請求項６に記載の方法。